(57)【特許請求の範囲】
【請求項１】
健全な樹木の枝と大地間に電流を間欠的に流すとともに、病原性線虫を接種し、接種した病原性線虫の増殖を抑えるとともに弱体化させ、病原性線虫に対する抵抗性を対象樹木に誘導させることを特徴とする抵抗性樹木の育成方法。
【請求項２】
前記対象樹木が、苗木であることを特徴とする抵抗性樹木の育成方法。
【発明の詳細な説明】
【０００１】
【発明の属する技術分野】
本発明は、害虫に対する抵抗性を有する抵抗性樹木の育成方法に関する。
【０００２】
【従来の技術】
樹木に寄生する病害虫、特に、松に寄生するマツノザイセンチュウによる被害は非常に大きい。このマツノザイセンチュウによる被害を予防或いは防止するために、一般に殺虫剤、防虫剤等の薬剤による化学的方法が採用されている。しかしながら、薬剤による害虫駆除は、作業者の安全性に問題があり、また、周囲の環境を汚染するおそれがある。また、薬剤は樹木の外側から塗布或いは散布するので、樹木の内部に侵入した害虫に対してしては有効に作用しにくい。
【０００３】
一方、樹木に電流を流すことにより、電気的に害虫を殺したり弱体化させることも、特開平２−１１７３３９号公報、特開平２−１７１１３３号公報、特開平３−２９２８４３号公報、特開平６−２３７６７７号公報等により提案されている。しかしながら、この電気的な方法を単独で採用した場合には、害虫駆除の効率を高めるために電流を増加させると樹木の組織が損傷するという問題が生じる。また、樹木の内部は場所により電気抵抗が異なっているので外部から一定の電流を流し込んだだけでは、十分な害虫駆除の効果が得られないという問題がある。
【０００４】
一方、上述した化学的方法や、電気的方法の他に、生物学的な方法が提案されている。たとえば、松の中には害虫に対して高い抵抗性を示す松が存在する（以下、この松を抵抗性松と呼ぶ）ので、この抵抗性松を交配することにより、一層抵抗性が高い松を育成することが提案されている。
【０００５】
この抵抗性松の育種方法としては、多くの地域の対象病害林から抵抗性候補木を選抜・交配させる方法や、抵抗力の種子を育苗し、弱病原性線虫を前接種し、その後に病原性線虫を接種して、線虫に対する抵抗性を誘導させる方法がある。
【０００６】
【発明が解決しようとする課題】
しかし、これらの育種は苗木の植裁を前提としているので、被害対象地域などの防除とならない。
【０００７】
また、苗木に弱病原性線虫を接種して抵抗性を誘導させる育種方法でも、松の生存率が４割弱しかなく十分な効果を挙げていない（読売新聞１９９３年１２月１２日１３版佐賀）。
【０００８】
そこで本発明は、被害対象地域の樹木を抵抗性樹木に誘導し、害虫防除効果が得られるようにする事を課題とする。また、苗木に弱病原性線虫を接種して抵抗性を誘導させる育種方法において、電気的な害虫防除作用を併用して松の生存率を高めることを課題とする。
【０００９】
【課題を解決するための手段】
本発明は、健全な樹木の枝と大地間に電流を間欠的に流すとともに、病原性線虫を接種し、接種した病原性線虫の増殖を抑えるとともに弱体化させ、病原性線虫に対する抵抗性を対象樹木に誘導させることを特徴とする抵抗性樹木の育成方法である。
【００１０】
マツ材線虫病において、弱病原性の線虫を前接種することにより、本病に対する抵抗性が誘起されるとの報告がされている（清原友也：「マツ材線虫病における誘導抵抗性」、日林九支研論集、Ｎｏ．３５、１９８２．９、ｐｐ．１６１−１６２参照）。
【００１１】
また、病原性線虫と弱病原性線虫の違いのーつに増殖能力が異なることも報告されている（清原友也：「マツノザイセンチュウ系統間の増殖および病原性の比較」、日林九支研論集、３０：１９７７、ｐｐ．２４１−２４２参照）
増殖率の高い線虫（京都及び熊本産）と増殖率の低い線虫（千葉及び鳥取産）をそれぞれ５本の松へ接種した場合、増殖率の高い線虫を接種した松は５本全て枯死し、増殖率の低い線虫を接種した松は０〜２本の枯死にとどまった。
【００１２】
本発明では、このことに着目し、マツノザイセンチュウによる被害対象地域の松の各々において、予め枝と大地間に電流を間欠的に流し、マツノマダラカミキリの後食又は接種で侵入したマツノザイセンチュウの増殖を抑えるとともに弱体化させる。このようにマツノザイセンチュウを増殖率を低下させることにより、松は枯死を免れることができる。枯死を免れた松は、一度病原菌に感染した免疫性から、マツノザイセンチュウに対する抵抗性を誘導することができる。
【００１３】
【発明の実施の形態】
材内のマツノザイセンチュウに適度な電流を瞬間的に流すと、マツノザイセンチュウは刺激を受けて活動がしばらく停止するか、緩慢になる。
【００１４】
連続的又は間欠的に電流を流し続けると、活動が著しく低下し、増殖率の低い線虫に弱体化する。
【００１５】
電流の印加時間と線虫の増殖率の変化の関係を下記の条件の下で調べた。
【００１６】
図１は、線虫に電流を印加するための治具を模式的に示す斜視図である。矩形状のアクリル板１の表面に長溝状のスリット２が形成されており、このスリット２の両端に電極３，４が取り付けられている。スリット２内には、線虫１００頭を入れた１００μｌの溶液５を入れ、この溶液５に１ｍＡの直流電流又はパルス電流を所定の期間だけ流した。電流の印加時間は、０．５秒、５秒、１０秒、２０秒とした。
【００１７】
次に、電流印加後の線虫の増殖の様子を以下の条件の下で観察した。図２は、電流印加後の線虫の増殖の様子を観測するための治具を模式的に示す斜視図である。
【００１８】
直径８５ｍｍのシャーレ６の底に小麦７を敷き、この小麦の層の表面にポトリチス菌８を付着させた。次に、電流印加後の線虫９をシャーレの中心位置のポトリチス菌へ接種して線虫を増殖させた。線虫はポトリチス菌を摂取しながら増殖する。ポトリチス菌は、初期状態においては白色であるが、線虫により摂取されると暗色に変化する。本実施例においては、暗色に変化した部分の直径を測定することにより、電流印加後の線虫の増殖の程度を調べた。また、参照例として、電流を印加しない線虫の増殖の程度も調べた。
【００１９】
図３は、電流印加後の線虫の増殖の様子を示すグラフである。
【００２０】
電流を流さない参照用の線虫は、１週間後には５６ｍｍ迄増殖するが、５秒間電流を印加した線虫では４ｍｍしか増殖せず、１０秒間、２０秒間電流を印加した線虫では増殖を示さない。
【００２１】
その後、徐々に増殖の傾向にあるが、継続的又は断続的に電流を流せば増殖を抑えることになり、マツノザイセンチュウはやがて消滅する。
【００２２】
松に侵入したマツノザイセンチュウは、最初はある程度増殖し、松はヤニの滲出量が低下し、針葉の退緑迄進展するが、線虫の消滅によってやがて回復に向かい、再び同種のマツノザイセンチュウが侵入しても枯れることのない抵抗性松となる。
【００２３】
【実施例】
本発明の検証は、自然木と苗木で行った。
【００２４】
図４は、自然木に電流を印加する場合の構成を模式的に示す説明図である。間欠的に電流を流す電源装置１０が用意され、電源装置１０の出力端子１１はリード線１２を介して、病害虫の防除の対象である自然木１３（この例では松）の枝の給電点に埋めこまれた電極１４に接続される。また、電源装置１０の接地端子１５は、リード線１６を介して、地面１７に埋めこまれたアース棒１８に接続される。
【００２５】
このように自然木に電流を印加する場合は、間欠的に電流を流す電源装置１０を松に設置し、枝より根付近の地中迄、通電した。本実施例においては、繰り返し周波数が約３０Ｈｚ、接続点端子電圧のピーク値が約３０００Ｖのパルス電圧を、１日８回、継続期間０．２秒間で自然木に印加した。電流を間欠的に流すのは、自然木が電流により損傷を受けるのを防止するためであり、連続的に流した場合には、自然木の細胞組織に壊死が発生した。
【００２６】
間欠的通電中にマツノザイセンチュウ（島原の強毒性）を３０００頭、接種した。１ヶ月後、松の針葉は全体的に黄色化し、古い針葉は赤く枯れた。また、樹脂の滲出が全くなく、枯死と判断するに満足な外見的状況であった。その後、１ヶ月経過に於ける状況は、針葉の色が回復し、且つ枝についてのみであるが、ヤニの滲出が見られるようになった。
【００２７】
また、松の苗木に対して上述と同様に電流を印加したところ、一部の枝の枯死にとどまった。
【００２８】
なお、上述の実施例は松を対象にしたものであるが、松以外の樹木に対しても本発明を適用することができる。
【００２９】
【発明の効果】
本発明は、苗木のみならず、害虫被害が予想される既存の樹木に対しても抵抗性を誘導させることができる。また、樹木に電流を流すことにより、電流自体による防虫駆除効果も期待できる。
【００３０】
また、薬剤を使用しないので、化学的防除で起こりがちな自然環境問題に対する障壁が改善される。
【図面の簡単な説明】
【図１】線虫に電流を印加するための治具を模式的に示す斜視図である。
【図２】電流印加後の線虫の増殖の様子を観測するための治具を模式的に示す斜視図である。
【図３】電流印加後の線虫の増殖の様子を示すグラフである。
【図４】自然木に電流を印加する場合の構成を模式的に示す説明図である。
【符号の説明】
１…アクリル板
２…スリット
３，４…電極
５…溶液
６…シャーレ
７…小麦
８…ポトリチス菌
９…線虫
１０…電源装置
１１…出力端子
１２…リード線
１３…自然木
１４…電極
１５…接地端子
１６…リード線
１７…地面
１８…アース棒
【図１】
0003578373.tif 000002
【図２】
0003578373.tif 000003
【図３】
0003578373.tif 000004
【図４】
0003578373.tif 000005